(57)【要約】  本発明によれば、ディスプレイの周辺を撮影した撮影画像を取得する取得部（１１）と、撮影画像から抽出された人が見ているディスプレイ上の位置を検出する画像解析部（１２）と、ディスプレイの表示領域を複数の子領域に分け、複数の子領域各々にコンテンツを表示させるとともに、撮影画像から抽出された人が見ている子領域の表示を変更させる制御部（１３）と、を有する情報提供装置（１０）が提供される。
2018235595.tif 000002
【特許請求の範囲】
【請求項１】
ディスプレイの周辺を撮影した撮影画像を取得する取得手段と、
前記撮影画像から抽出された人が見ている前記ディスプレイ上の位置を検出する画像解析手段と、
前記ディスプレイの表示領域を複数の子領域に分け、前記複数の子領域各々にコンテンツを表示させるとともに、前記撮影画像から抽出された人が見ている前記子領域の表示を変更させる制御手段と、
を有する情報提供装置。
【請求項２】
請求項１に記載の情報提供装置において、
前記画像解析手段は、前記撮影画像から抽出された人が所定の前記子領域を見ている時間である子領域閲覧時間を検出し、
前記制御手段は、前記子領域閲覧時間に応じて、前記撮影画像から抽出された人が見ている前記子領域に表示させるコンテンツを決定する情報提供装置。
【請求項３】
請求項２に記載の情報提供装置において、
前記制御手段は、前記子領域閲覧時間が第１の基準時間未満の場合には静止画像を表示させ、前記子領域閲覧時間が前記第１の基準時間以上の場合には動画像を表示させる情報提供装置。
【請求項４】
請求項２又は３に記載の情報提供装置において、
前記制御手段は、前記子領域閲覧時間が第２の基準時間以上になるとクーポン情報を表示させる情報提供装置。
【請求項５】
請求項２に記載の情報提供装置において、
前記画像解析手段は、前記複数の子領域各々を見ている人の数をさらに検出し、
前記制御手段は、前記子領域閲覧時間と、前記複数の子領域各々を見ている人の数とに応じて、前記撮影画像から抽出された人が見ている前記子領域に表示させるコンテンツを決定する情報提供装置。
【請求項６】
請求項５に記載の情報提供装置において、
前記制御手段は、前記子領域閲覧時間が第３の基準時間以上である人の数が第１の基準人数未満の場合には静止画像を表示させ、前記子領域閲覧時間が前記第３の基準時間以上である人の数が前記第１の基準人数以上の場合には動画像を表示させる情報提供装置。
【請求項７】
請求項５又は６に記載の情報提供装置において、
前記制御手段は、前記子領域閲覧時間が第４の基準時間以上である人の数が第２の基準人数以上になるとクーポン情報を表示させる情報提供装置。
【請求項８】
ディスプレイの周辺を撮影した撮影画像を取得する取得手段と、
前記撮影画像を解析することで、前記撮影画像から人の顔を抽出するとともに、前記ディスプレイを見ている人の数、及び、前記ディスプレイを見ている時間であるディスプレイ閲覧時間を検出する画像解析手段と、
検出結果に応じて、前記ディスプレイに表示させるコンテンツを決定する制御手段と、
を有する情報提供装置。
【請求項９】
請求項８に記載の情報提供装置において、
前記制御手段は、前記ディスプレイ閲覧時間が第５の基準時間未満の場合に静止画像を表示させ、前記ディスプレイ閲覧時間が前記第５の基準時間以上の場合に動画像を表示させる情報提供装置。
【請求項１０】
請求項８又は９に記載の情報提供装置において、
前記制御手段は、前記ディスプレイ閲覧時間が第６の基準時間以上になると前記ディスプレイにクーポン情報を表示させる情報提供装置。
【請求項１１】
請求項５から１０のいずれか１項に記載の情報提供装置において、
前記制御手段は、前記撮影画像から人の顔が抽出されているが、前記ディスプレイを見ている人の数が所定数未満の場合、人の注意を引く動作を前記ディスプレイに行わせる情報提供装置。
【請求項１２】
請求項５から１１のいずれか１項に記載の情報提供装置において、
前記制御手段は、前記ディスプレイにおける前記複数の子領域の中の少なくとも１つの占有面積の比率を、当該子領域を見ている人の数の比率に応じたものとする情報提供装置。
【請求項１３】
請求項５から１２のいずれか１項に記載の情報提供装置において、
前記制御手段は、前記ディスプレイにおける前記複数の子領域各々の輝度を、前記複数の子領域各々を見ている人の数に応じて切り替える情報提供装置。
【請求項１４】
請求項１から１３のいずれか１項に記載の情報提供装置において、
前記制御手段は、前記ディスプレイにおける前記複数の子領域のレイアウトを変更せず、前記複数の子領域各々に表示させるコンテンツを個別に変更させる情報提供装置。
【請求項１５】
請求項１から１４のいずれか１項に記載の情報提供装置において、
前記制御手段は、前記撮影画像から人の顔が抽出されていない場合、前記ディスプレイを省電力モードで動作させる情報提供装置。
【請求項１６】
請求項１から１５のいずれか１項に記載の情報提供装置において、
前記画像解析手段は、抽出された人が見ている前記ディスプレイ上の位置を検出し、
前記制御手段は、前記撮影画像から抽出された人が前記ディスプレイ上で見ている位置を示す情報を、前記ディスプレイに表示させる情報提供装置。
【請求項１７】
請求項１から１６のいずれか１項に記載の情報提供装置において、
前記制御手段は、視聴方向に応じて異なるコンテンツが見えるように前記ディスプレイを制御する情報提供装置。
【請求項１８】
請求項１から１７のいずれか１項に記載の情報提供装置において、
前記制御手段は、視聴している人の数が相対的に多い方向からは動画像が見え、視聴している人の数が相対的に少ない方向からは静止画像が見えるように、前記ディスプレイに表示させるコンテンツを決定する情報提供装置。
【請求項１９】
コンピュータが、
ディスプレイの周辺を撮影した撮影画像を取得する取得工程と、
前記撮影画像から抽出された人が見ている前記ディスプレイ上の位置を検出する画像解析工程と、
前記ディスプレイの表示領域を複数の子領域に分け、前記複数の子領域各々にコンテンツを表示させるとともに、前記撮影画像から抽出された人が見ている前記子領域の表示を変更させる制御工程と、
を有する情報提供方法。
【請求項２０】
コンピュータを、
ディスプレイの周辺を撮影した撮影画像を取得する取得手段、
前記撮影画像から抽出された人が見ている前記ディスプレイ上の位置を検出する画像解析手段、
前記ディスプレイの表示領域を複数の子領域に分け、前記複数の子領域各々にコンテンツを表示させるとともに、前記撮影画像から抽出された人が見ている前記子領域の表示を変更させる制御手段、
として機能させるプログラム。
【請求項２１】
コンピュータが、
ディスプレイの周辺を撮影した撮影画像を取得する取得工程と、
前記撮影画像を解析することで、前記撮影画像から人の顔を抽出するとともに、前記ディスプレイを見ている人の数、及び、前記ディスプレイを見ている時間であるディスプレイ閲覧時間を検出する画像解析工程と、
検出結果に応じて、前記ディスプレイに表示させるコンテンツを決定する制御工程と、
を実行する情報提供方法。
【請求項２２】
コンピュータを、
ディスプレイの周辺を撮影した撮影画像を取得する取得手段、
前記撮影画像を解析することで、前記撮影画像から人の顔を抽出するとともに、前記ディスプレイを見ている人の数、及び、前記ディスプレイを見ている時間であるディスプレイ閲覧時間を検出する画像解析手段、
検出結果に応じて、前記ディスプレイに表示させるコンテンツを決定する制御手段、
として機能させるプログラム。
【発明の詳細な説明】
【技術分野】
【０００１】
本発明は、情報提供装置、情報提供方法及びプログラムに関する。
【背景技術】
【０００２】
特許文献１の映像表示方法では、ディスプレイ上の表示領域を主表示領域と副表示領域とに分け、主表示領域及び副表示領域各々に映像を表示する。また、当該表示方法では、視聴者の視線情報と顔画像の位置情報に基づいて、視聴者の興味が集まる映像を検出する。そして、当該表示方法では、興味が集まる映像が副表示領域に表示されている場合には、この映像が主表示領域に表示されるように映像を入れ替える。【０００３】
特許文献２には、対象者の視線情報を取得する視線情報取得部と、複数の対象者の視線情報に基づいて、物に複数の対象者の視線が向けられる態様を判断する視線態様判断部と、複数の対象者間の関係を判断する関係判断部と、関係判断部により判断された複数の対象者間の関係と、視線態様判断部により判断された態様とに基づいて、物が対象者により利用される可能性を表す指標値を算出する利用可能性算出部とを備える利用可能性算出装置が開示されている。【０００４】
特許文献３に記載のコンテンツ表示方法は、表示パネルに対する視線の認識時間と、表示パネルから視線が外れた回数とに基づいて視線認識による肯定度を求め、当該肯定度に基づいて表示パネルに表示されている広告の評価を行う。そして、評価結果に基づいて、表示パネルに表示する広告を決定する。
【先行技術文献】
【特許文献】
【０００５】
【特許文献１】特開２０１１−１４６０４８号公報
【特許文献２】特開２０１６−１２２２７２号公報
【特許文献３】特開２０１５−６４５１３号公報
【発明の概要】
【発明が解決しようとする課題】
【０００６】
視聴者の状況に応じてディスプレイに表示させるコンテンツを適切に変更させていないため、情報提供に対する利益（例：宣伝効果）を効率的に享受することができないという問題があった。
【課題を解決するための手段】
【０００７】
本発明によれば、
ディスプレイの周辺を撮影した撮影画像を取得する取得手段と、
前記撮影画像から抽出された人が見ている前記ディスプレイ上の位置を検出する画像解析手段と、
前記ディスプレイの表示領域を複数の子領域に分け、前記複数の子領域各々にコンテンツを表示させるとともに、前記撮影画像から抽出された人が見ている前記子領域の表示を変更させる制御手段と、
を有する情報提供装置が提供される。【０００８】
また、本発明によれば、
ディスプレイの周辺を撮影した撮影画像を取得する取得手段と、
前記撮影画像を解析することで、前記撮影画像から人の顔を抽出するとともに、前記ディスプレイを見ている人の数、及び、前記ディスプレイを見ている時間であるディスプレイ閲覧時間を検出する画像解析手段と、
検出結果に応じて、前記ディスプレイに表示させるコンテンツを決定する制御手段と、
を有する情報提供装置が提供される。【０００９】
また、本発明によれば、
コンピュータが、
ディスプレイの周辺を撮影した撮影画像を取得する取得工程と、
前記撮影画像から抽出された人が見ている前記ディスプレイ上の位置を検出する画像解析工程と、
前記ディスプレイの表示領域を複数の子領域に分け、前記複数の子領域各々にコンテンツを表示させるとともに、前記撮影画像から抽出された人が見ている前記子領域の表示を変更させる制御工程と、
を有する情報提供方法が提供される。【００１０】
また、本発明によれば、
コンピュータを、
ディスプレイの周辺を撮影した撮影画像を取得する取得手段、
前記撮影画像から抽出された人が見ている前記ディスプレイ上の位置を検出する画像解析手段、
前記ディスプレイの表示領域を複数の子領域に分け、前記複数の子領域各々にコンテンツを表示させるとともに、前記撮影画像から抽出された人が見ている前記子領域の表示を変更させる制御手段、
として機能させるプログラムが提供される。【００１１】
また、本発明によれば、
コンピュータが、
ディスプレイの周辺を撮影した撮影画像を取得する取得工程と、
前記撮影画像を解析することで、前記撮影画像から人の顔を抽出するとともに、前記ディスプレイを見ている人の数、及び、前記ディスプレイを見ている時間であるディスプレイ閲覧時間を検出する画像解析工程と、
検出結果に応じて、前記ディスプレイに表示させるコンテンツを決定する制御工程と、
を実行する情報提供方法が提供される。【００１２】
また、本発明によれば、
コンピュータを、
ディスプレイの周辺を撮影した撮影画像を取得する取得手段、
前記撮影画像を解析することで、前記撮影画像から人の顔を抽出するとともに、前記ディスプレイを見ている人の数、及び、前記ディスプレイを見ている時間であるディスプレイ閲覧時間を検出する画像解析手段、
検出結果に応じて、前記ディスプレイに表示させるコンテンツを決定する制御手段、
として機能させるプログラムが提供される。
【発明の効果】
【００１３】
本発明によれば、視聴者の状況に応じてディスプレイに表示させるコンテンツを適切に変更することができる。
【図面の簡単な説明】
【００１４】
上述した目的、およびその他の目的、特徴および利点は、以下に述べる好適な実施の形態、およびそれに付随する以下の図面によってさらに明らかになる。【００１５】
【図１】本実施形態の情報提供装置のハードウエア構成の一例を示す図である。
【図２】本実施形態の情報提供装置の機能ブロック図の一例である。
【図３】本実施形態の情報提供装置により生成されるデータの一例を模式的に示す図である。
【図４】本実施形態のディスプレイの表示態様の一例を模式的に示す図である。
【図５】本実施形態の情報提供装置の処理の流れの一例を示すフロー図である。
【図６】本実施形態の情報提供装置により利用される情報の一例を模式的に示す図である。
【図７】本実施形態のディスプレイの表示態様の一例を模式的に示す図である。
【図８】本実施形態の情報提供装置により生成される情報の一例を模式的に示す図である。
【図９】本実施形態の情報提供装置により生成される情報の一例を模式的に示す図である。
【図１０】本実施形態の情報提供装置により生成される情報の一例を模式的に示す図である。
【図１１】本実施形態の情報提供装置により生成される情報の一例を模式的に示す図である。
【図１２】本実施形態の情報提供装置の処理の流れの一例を示すフロー図である。
【発明を実施するための形態】
【００１６】
＜第１の実施形態＞
まず、本実施形態の情報提供システムの全体像を説明する。本実施形態の情報提供システムは、いわゆるデジタルサイネージである（以下のすべての実施形態も同様）。情報提供システムは、任意の場所に設置されたディスプレイと、当該ディスプレイの周辺を撮影するカメラと、当該ディスプレイを制御する情報提供装置とを有する。
【００１７】
ディスプレイは、屋外、屋内、公共エリア等の任意の場所に設置される。ディスプレイは、情報提供装置の制御に従い、所定のコンテンツ（例：動画、静止画、音声等）を出力する。出力されるコンテンツのファイルは予めディスプレイの記憶装置に記憶されていてもよいし、外部装置（例：情報提供装置）からディスプレイに入力されてもよい。
【００１８】
カメラは、動画像を撮影可能に構成される。なお、カメラは、所定時間毎に（例：１秒毎）に連続的に静止画像を撮影可能に構成されてもよい。カメラは、ディスプレイの周辺（例えば、ディスプレイを視聴する人が位置する前方領域）を撮影可能な位置に設置（固定）される。そして、カメラは、リアルタイム処理で、生成した画像ファイル（動画ファイル又は静止画ファイル）を情報提供装置に送信する。
【００１９】
情報提供装置は、取得部と、画像解析部と、制御部とを有する。取得部は、ディスプレイの周辺を撮影した撮影画像（画像ファイル）を取得する。画像解析部は、撮影画像を解析することで、撮影画像から人の顔を抽出するとともに、抽出された人が見ているディスプレイ上の位置を検出する。制御部は、ディスプレイの表示領域を複数の子領域に分け、複数の子領域各々にコンテンツを表示させるとともに、撮影画像から抽出された人が見ている子領域の表示を変更させる。例えば、当該子領域に表示させるコンテンツを変更させる。
【００２０】
このような情報提供装置によれば、視聴者が見ている子領域に表示させるコンテンツを同じもので固定するのでなく、変更させることで（すなわち、変化をもたらすことで）、その子領域に対する視聴者の注意をより大きくすることができる。特に、複数の子領域すべてのコンテンツを変更させるのでなく、視聴者が見ている子領域に表示させるコンテンツのみを変更させることで、その子領域に対する視聴者の注意をより大きくすることができる。
【００２１】
また、複数の子領域すべてのコンテンツを変更させるのでなく、一部（視聴者が見ている子領域）に表示させるコンテンツのみを変更させることで、ディスプレイの処理負担を軽減できる。
【００２２】
また、視聴者が見ている子領域に表示させるコンテンツを同じもので固定するのでなく、変更させることで、より多くの情報を効率的に視聴者に伝えることができる。
【００２３】
なお、情報提供装置は、ディスプレイの近くに設置されてもよい。ディスプレイと情報提供装置とは、物理的及び／又は論理的に一体となって構成されてもよいし、分かれて構成されてもよい。後者の場合、ディスプレイと情報提供装置は任意の通信手段で通信可能に構成される。
【００２４】
その他、情報提供装置はディスプレイと離れた位置に設置され、遠隔からディスプレイを制御してもよい。この場合、ディスプレイと情報提供装置は、インターネット等の通信網を介して互いに繋がってもよいし、専用の通信網を介して互いに繋がってもよい。
【００２５】
本実施形態の情報提供システムが備えるディスプレイ及びカメラは、従来技術に準じて実現できる。以下、情報提供装置の構成を詳細に説明する。
【００２６】
まず、情報提供装置のハードウエア構成の一例について説明する。本実施形態の情報提供装置が備える各機能部は、任意のコンピュータのＣＰＵ（Central Processing Unit）、メモリ、メモリにロードされるプログラム、そのプログラムを格納するハードディスク等の記憶ユニット（あらかじめ装置を出荷する段階から格納されているプログラムのほか、ＣＤ（Compact Disc）等の記憶媒体やインターネット上のサーバ等からダウンロードされたプログラムをも格納できる）、ネットワーク接続用インターフェイスを中心にハードウエアとソフトウエアの任意の組合せによって実現される。そして、その実現方法、装置にはいろいろな変形例があることは、当業者には理解されるところである。
【００２７】
図１は、本実施形態の情報提供装置のハードウエア構成を例示するブロック図である。図１に示すように、情報提供装置は、プロセッサ１Ａ、メモリ２Ａ、入出力インターフェイス３Ａ、周辺回路４Ａ、バス５Ａを有する。周辺回路４Ａには、様々なモジュールが含まれる。なお、情報提供装置は物理的及び／又は論理的に分かれた複数の装置で構成されてもよい。この場合、複数の装置各々が、プロセッサ１Ａ、メモリ２Ａ、入出力インターフェイス３Ａ、周辺回路４Ａ、バス５Ａを有してもよい。
【００２８】
バス５Ａは、プロセッサ１Ａ、メモリ２Ａ、周辺回路４Ａ及び入出力インターフェイス３Ａが相互にデータを送受信するためのデータ伝送路である。プロセッサ１Ａは、例えばＣＰＵやＧＰＵ（Graphics Processing Unit）などの演算処理装置である。メモリ２Ａは、例えばＲＡＭ（Random Access Memory）やＲＯＭ（Read Only Memory）などのメモリである。入出力インターフェイス３Ａは、入力装置（例：キーボード、マウス、マイク、物理キー、タッチパネルディスプレイ、コードリーダ等）、外部装置、外部サーバ、外部センサ等から情報を取得するためのインターフェイスや、出力装置（例：ディスプレイ、スピーカ、プリンター、メーラ等）、外部装置、外部サーバ等に情報を出力するためのインターフェイスなどを含む。プロセッサ１Ａは、各モジュールに指令を出し、それらの演算結果をもとに演算を行うことができる。
【００２９】
次に、情報提供装置の機能構成を説明する。図２に情報提供装置１０の機能ブロック図の一例を示す。図示するように、情報提供装置１０は、取得部１１と、画像解析部１２と、制御部１３とを有する。
【００３０】
取得部１１は、ディスプレイの周辺を撮影した撮影画像(画像ファイル)を上述したカメラから取得する。画像ファイルは、複数の撮影画像（フレーム）を含む。取得部１１は、複数の撮影画像各々の撮影日時を特定可能な情報を上述したカメラから取得してもよい。
【００３１】
画像解析部１２は、撮影画像を解析することで、撮影画像から人の顔を抽出するとともに、抽出された人が見ているディスプレイ上の位置を検出する（第１の検出処理）。また、画像解析部１２は、撮影画像から抽出された人が所定の子領域（そのタイミングで見ている子領域）を見ている時間である子領域閲覧時間を検出する（第２の検出処理）。画像解析部１２は、画像ファイルに含まれるすべての撮影画像を解析してもよいし、所定時間毎（例：１秒毎、３秒毎）の撮影画像を解析してもよい。
【００３２】
まず、第１の検出処理について説明する。撮影画像から人の顔を抽出する手段は特段制限されず、従来のあらゆる技術を採用できる。
【００３３】
また、画像解析部１２は、従来のあらゆる技術を利用して、抽出された人が見ているディスプレイ上の位置を検出することができる。例えば、人の視線方向、人とカメラとの距離、撮影画像内の人の顔の位置、及び、予め保持しているカメラとディスプレイの相対的な関係（例：カメラの光軸とディスプレイの表示領域（面）との角度、カメラとディスプレイの距離等）等に基づき、人が見ているディスプレイ上の位置を検出できる。
【００３４】
人の視線方向は、画像解析で特定してもよいし、その他の手段で特定してもよい。画像解析の場合、例えば、顔の向きや眼球の位置等に基づき視線方向を推定できる。顔の向きは、目、鼻、口等の特徴的な部分の顔領域内の位置や、これらの相対的な位置関係等に基づき推定できる。
【００３５】
また、人とカメラとの距離は、画像解析で特定してもよいし、その他の手段で特定してもよい。画像解析の場合、例えば、顔の大きさ（撮影画像内における占有面積）等に基づき推定できる。
【００３６】
図３に、第１の検出処理により生成される解析結果データの一例を模式的に示す。例えば、画像解析部１２は、カメラから送信されてきた撮影画像をリアルタイム処理で解析し、解析結果データに新たな解析結果を追加する。
【００３７】
図示する解析結果データでは、抽出ＩＤ（identifier）と、閲覧者ＩＤと、月日と、時刻と、閲覧位置と、画像内位置とが互いに対応付けられている。なお、その他の情報をさらに含んでもよい。
【００３８】
「月日及び時刻」は、各撮影画像（各フレーム）の撮影日時を示す。図示する例の場合、これらの情報が一致する抽出ＩＤ００００００１乃至００００００３は、同じ撮影画像を解析することで得られた情報であることが分かる。同様に、抽出ＩＤ００００００４乃至００００００６は、同じ撮影画像を解析することで得られた情報であることが分かる。
【００３９】
「抽出ＩＤ」は、撮影画像から人が抽出される度に付されるＩＤである。１つの撮影画像から複数の人が抽出された場合、複数の抽出各々に対して異なる抽出ＩＤが付される。また、ある人が第１の撮影画像及び第２の撮影画像から抽出された場合、各抽出に対して異なる抽出ＩＤが付される。
【００４０】
「閲覧者ＩＤ」は、撮影画像から抽出された人各々に付されるＩＤである。画像解析部１２は、複数の撮影画像に跨って存在する同一人物と考えられる顔をグループ化し、１つの閲覧者ＩＤを付す。
【００４１】
例えば、画像解析部１２は、第１の撮影画像から抽出されたｎ（ｎは１以上）個の顔の撮影画像内の位置と、その直後の第２の撮影画像から抽出されたｍ（ｍは１以上、ｎと同じであってもよい）個の顔の撮影画像内の位置とに基づき、両方の撮影画像に跨って存在する同一人物の顔を対応付ける。例えば、「第１の撮影画像での撮影画像内の位置（図３に示す画像内位置）と、第２の撮影画像での撮影画像内の位置（図３に示す画像内位置）との距離が所定値以下」を満たす顔どうしを互いに対応付けてもよい。
【００４２】
この処理を互いに前後する２つの撮影画像のペアすべてに対して行うことで、連続的に撮影画像内に存在する同一人物の顔をグループ化することができる。そして、画像解析部１２は、グループごとに閲覧者ＩＤを付すことができる。
【００４３】
なお、その他の処理例として、画像解析部１２は、撮影画像から抽出した人各々の顔の特徴量を抽出してもよい。そして、当該特徴量を利用して、複数の撮影画像に跨って存在する同一人物をグループ化し、グループごとに閲覧者ＩＤを付してもよい。
【００４４】
本実施形態ではいずれの方法も採用できる。しかし、前者の場合は閲覧者を特定する情報（顔の特徴量）を取得する必要がない。このため、前者はプライバシーに配慮した好ましい方法と言える。
【００４５】
「閲覧位置」は、抽出された人各々が見ているディスプレイ上の位置を示す。例えば、ディスプレイの任意の位置を原点とし、ディスプレイの任意の方向をｘ軸及びｙ軸とした二次元座標系で、閲覧位置を示してもよい。なお、閲覧位置がディスプレイ上にない場合、その旨を示す情報が登録されてもよい。図示する例の場合、抽出ＩＤ００００００３の閲覧位置は空欄となっている。これより、２０１７年６月１日１３時００分０１秒において、閲覧者ＩＤＶ００００３はディスプレイ上を視認していなかったことが分かる。
【００４６】
「画像内位置」は、抽出された人各々の顔の撮影画像内の位置を示す。例えば、撮影画像の任意の位置を原点とし、撮影画像の任意の方向をｘ軸及びｙ軸とした二次元座標系で、撮影画像内の顔の位置を示してもよい。
【００４７】
次に、第２の処理について説明する。上述の通り、第２の処理では、画像解析部１２は、撮影画像から抽出された人が所定の子領域（そのタイミングで見ている子領域）を見ている時間である子領域閲覧時間を検出する。子領域閲覧時間は、視線をその子領域から外すことなくそのタイミングまで連続的に閲覧した時間であってもよいし、その子領域をそのタイミングまでに閲覧した積算時間であってもよい。
【００４８】
画像解析部１２は、例えば図３に示すような解析結果データに基づき、最新の撮影画像から抽出された人各々が、そのタイミングで見ている子領域をそのタイミングまでに見た時間を検出する。
【００４９】
本実施形態では、図４に示されるように、ディスプレイＤの表示領域１００は複数の子領域１０１乃至１０４に分けられ、複数の子領域１０１乃至１０４各々にコンテンツが表示される。複数の子領域の数やレイアウトは図示するものに限定されない。
【００５０】
画像解析部１２は、予め、複数の子領域のレイアウト情報を保持している。そして、画像解析部１２は、このレイアウト情報と、例えば図３に示すような解析結果データに含まれる閲覧位置の情報とに基づき、各タイミングで抽出された人各々がどの子領域を見ていたかを特定できる。そして、画像解析部１２は、特定結果に基づき、上記子領域閲覧時間を算出することができる。
【００５１】
図２に戻り、制御部１３は、例えば図４に示すように、ディスプレイＤの表示領域１００を複数の子領域１０１乃至１０４に分け、複数の子領域１０１乃至１０４各々にコンテンツを表示させる。複数の子領域の数やレイアウトは図示するものに限定されない。
【００５２】
また、制御部１３は、撮影画像から抽出された人が見ている子領域の表示を変更させる。例えば、制御部１３は、最新の撮影画像から抽出された人各々がそのタイミングで見ている子領域に表示させるコンテンツを、そのタイミングまでにその子領域を見た子領域閲覧時間に応じて決定する。そして、制御部１３は、決定したコンテンツをその子領域に表示させる。表示させるコンテンツは、例えば、広告等が例示されるがこれに限定されない。
【００５３】
例えば、制御部１３は、子領域閲覧時間が第１の基準時間未満の場合には静止画像を表示させ、子領域閲覧時間が第１の基準時間以上になると動画像を表示させてもよい。第１の基準時間は予め任意に設定される。静止画像は、必ずしも子領域全体が静止しているものに限定されず、画像の一部分（例えば広告それ自体ではない文字、記号など）が動いていてもよい。
【００５４】
また、制御部１３は、子領域閲覧時間が第２の基準時間以上になるとクーポン情報を表示させてもよい。第２の基準時間は予め任意に設定される。
【００５５】
これら２つの例を組み合わせることで、以下のような処理を実現できる。例えば、ディスプレイは複数の店舗が集まったショッピングセンターに設置される。最初は、制御部１３は、複数の子領域各々に、複数の店舗各々の属性情報（名称、場所、外観写真、商品等）を静止画像で表示させておく。
【００５６】
そして、ある人がある子領域を見て、その子領域に対する子領域閲覧時間が第１の基準時間以上になると、制御部１３は、その子領域において、その店舗のより詳細な情報を含む動画像の再生を開始させる。
【００５７】
なお、再生中に、その子領域を見ていた人の閲覧位置がその子領域から外れると、制御部１３は、その動画像の再生を一時停止させてもよい。そして、その人の閲覧位置が再びその子領域に戻ってくると、一時停止を解除し、一時停止した位置からの再生を再開させてもよい。また、再生中に、その子領域を見ていた人が撮影画像に含まれなくなると（ディスプレイの前からいなくなる）と、制御部１３は、動画像の再生を停止させ、その子領域の表示を元の静止画像に戻させてもよい。
【００５８】
そして、動画像を最後まで再生し終えると、制御部１３は、その子領域に当該店舗のクーポン情報を表示させる。動画像の再生終了に応じたクーポン情報の表示は、第２の基準時間を適切に設定することで実現できる。
【００５９】
なお、制御部１３は、ディスプレイにおける複数の子領域のレイアウト（大きさ、配置の仕方等）を変更せず、複数の子領域各々に表示させるコンテンツを個別に変更させることができる。
【００６０】
その他、制御部１３は、撮影画像から人の顔が抽出されていない場合、ディスプレイを省電力モードで動作させてもよい。省電力モードでは、通常モードよりも消費電力が小さくなる動作を行う。例えば、省電力モードでは、ディスプレイの輝度を通常モードよりも低くする。
【００６１】
その他、制御部１３は、見ている人がいる子領域には詳細を示す詳細動画で店舗等を紹介し、見ている人がいない子領域にはダイジェストや簡易情報の動画で店舗等を紹介してもよい。また、制御部１３は、見ている人がいない子領域には動画の一部である静止画を表示させ、見ている人がいる子領域には動画を表示させても良い。
【００６２】
その他、制御部１３は、子領域閲覧時間が第１の基準時間未満の場合にはダイジェストや簡易情報（例：店舗等の概略を紹介する情報）の動画像を表示させ、子領域閲覧時間が第１の基準時間以上になると詳細情報（例：店舗等の詳細を紹介する情報）の動画像を表示させてもよい。
【００６３】
次に、図５のフローチャートを用いて、本実施形態の情報提供装置１０の処理の流れの一例を説明する。
【００６４】
Ｓ１１では、取得部１１は、ディスプレイの周辺を撮影した撮影画像を取得する。
【００６５】
Ｓ１２では、画像解析部１２は、撮影画像を解析することで、撮影画像から人の顔を抽出するとともに、抽出された人が見ているディスプレイ上の位置を検出する。また、画像解析部１２は、例えば図３に示すような解析結果データに基づき、最新の撮影画像から抽出された人各々が、そのタイミングで見ている子領域をそのタイミングまでに見た時間（子領域閲覧時間）を検出する。
【００６６】
Ｓ１３では、制御部１３は、撮影画像から抽出された人が見ている子領域の子領域閲覧時間に応じて、その子領域の表示を変更させる。例えば、制御部１３は、子領域閲覧時間に応じて、その子領域に表示させるコンテンツを決定する。そして、制御部１３は、決定したコンテンツをその子領域に表示させる。
【００６７】
以降、処理を終了する信号が入力されない間（Ｓ１４のＮｏ）、上記処理を繰り返す。
【００６８】
以上説明した本実施形態の情報提供システムによれば、視聴者が見ている子領域に表示させるコンテンツを同じもので固定するのでなく、変更させることで（すなわち、変化をもたらすことで）、その子領域に対する視聴者の注意をより大きくすることができる。特に、複数の子領域すべてのコンテンツを変更させるのでなく、視聴者が見ている子領域に表示させるコンテンツのみを変更させることで、その子領域に対する視聴者の注意をより大きくすることができる。
【００６９】
また、複数の子領域すべてのコンテンツを変更させるのでなく、一部（視聴者が見ている子領域）に表示させるコンテンツのみを変更させることで、ディスプレイの処理負担を軽減できる。
【００７０】
また、視聴者が見ている子領域に表示させるコンテンツを同じもので固定するのでなく、変更させることで、より多くの情報を効率的に視聴者に伝えることができる。
【００７１】
また、本実施形態の情報提供システムによれば、人が所定の子領域を見ている時間（子領域閲覧時間）を検出し、それに応じて上記所定の子領域に表示させるコンテンツを決定することができる。子領域閲覧時間の変化に応じて表示されるコンテンツを変更することで、その子領域に表示されているコンテンツに飽きさせることなく、視聴者の興味を引き付けることができる。
【００７２】
また、子領域閲覧時間を考慮せず、単に視聴者が見たことのみに応じて表示させるコンテンツを変更すると、不必要にコンテンツの切り替え処理を行う可能性がある。例えば、通行人がチラリと見たことに応じて、コンテンツを変更してしまう可能性がある。子領域閲覧時間が閾値を超えることでコンテンツを切り替える本実施形態によれば、不必要なコンテンツの切り替え処理を回避できる。
【００７３】
＜第２の実施形態＞
本実施形態の情報提供システムは、情報提供装置１０の構成において、第１の実施形態と異なる。すなわち、ディスプレイ及びカメラの構成は第１の実施形態と同様である。
【００７４】
本実施形態の情報提供装置１０は、第１の実施形態で説明した子領域閲覧時間と、複数の子領域各々を見ている人の数とに基づき、ディスプレイの制御内容を決定する点で、第１の実施形態と異なる。その他の構成は、第１の実施形態と同様である。以下、詳細に説明する。
【００７５】
情報提供装置１０のハードウエア構成の一例は第１の実施形態と同様である。
【００７６】
本実施形態の情報提供装置１０の機能ブロック図の一例は、第１の実施形態同様、図２で示される。図示するように、情報提供装置１０は、取得部１１と、画像解析部１２と、制御部１３とを有する。取得部１１の構成は、第１の実施形態と同様である。
【００７７】
画像解析部１２は、第１の実施形態で説明した機能に加えて、複数の子領域各々を見ている人の数を検出する機能をさらに有する。
【００７８】
例えば、画像解析部１２は、最新の撮影画像において、複数の子領域各々を見ている人の数を検出する。また、第１の実施形態で説明したように、画像解析部１２は、最新の撮影画像から抽出された人各々が、そのタイミングで見ている子領域をそのタイミングまでに見た時間（子領域閲覧時間）を検出する。
【００７９】
制御部１３は、例えば図４に示すように、ディスプレイＤの表示領域１００を複数の子領域１０１乃至１０４に分け、複数の子領域１０１乃至１０４各々にコンテンツを表示させる。複数の子領域の数やレイアウトは図示するものに限定されない。
【００８０】
また、制御部１３は、撮影画像から抽出された人が見ている子領域の表示を変更させる。例えば、制御部１３は、当該子領域に表示させるコンテンツを変更させる。
【００８１】
本実施形態の制御部１３は、最新の撮影画像から抽出された人各々がそのタイミングで見ている子領域に表示させるコンテンツを、そのタイミングまでにその子領域を見た子領域閲覧時間と、そのタイミングでその子領域を見ている人の数とに応じて決定する。そして、決定したコンテンツをその子領域に表示させる。制御部１３は、ディスプレイにおける複数の子領域のレイアウト（大きさ、配置の仕方等）を変更せず、複数の子領域各々に表示させるコンテンツを個別に変更させることができる。
【００８２】
例えば、制御部１３は、子領域閲覧時間が第３の基準時間以上である人の数が第１の基準人数未満の場合には静止画像を表示させ、子領域閲覧時間が第３の基準時間以上である人の数が第１の基準人数以上の場合には動画像を表示させてもよい。第３の基準時間及び第１の基準人数は予め任意に設定される。静止画像は、必ずしも子領域全体が静止しているものに限定されず、画像の一部分（例えば広告それ自体ではない文字、記号など）が動いていてもよい。
【００８３】
また、制御部１３は、子領域閲覧時間が第３の基準時間以上である人の数が第１の基準人数未満の場合にはダイジェストや簡易情報（例：店舗等の概略を紹介する情報）の動画像を表示させ、子領域閲覧時間が第３の基準時間以上である人の数が第１の基準人数以上の場合には詳細情報（例：店舗等の詳細を紹介する情報）の動画像を表示させてもよい。
【００８４】
また、制御部１３は、子領域閲覧時間が第４の基準時間以上である人の数が第２の基準人数以上になるとクーポン情報を表示させてもよい。第４の基準時間及び第２の基準人数は予め任意に設定される。
【００８５】
本実施形態の変形例として、制御部１３は、ディスプレイにおける複数の子領域のレイアウトを、複数の子領域各々を見ている人の数に応じて変更してもよい。例えば、制御部１３は、ディスプレイにおける複数の子領域の中の少なくとも１つの占有面積の比率を、その子領域を見ている人の数の比率に応じたものとしてもよい。その他、制御部１３は、見ている人の数が多くなるに従い、占有面積の比率を大きくしてもよい。
【００８６】
また、制御部１３は、ディスプレイにおける複数の子領域各々の輝度を、複数の子領域各々を見ている人の数に応じて切り替えてもよい。この場合、制御部１３は、見ている人の数が所定数未満（例：１未満）の場合は輝度を低くし、見ている人の数が所定数以上（例：１以上）の場合は輝度を高くしてもよい。その他、制御部１３は、見ている人の数が多くなるに従い、輝度を高くしてもよい。
【００８７】
また、制御部１３は、撮影画像から人の顔が抽出されていない場合、ディスプレイを省電力モードで動作させてもよい。
【００８８】
また、制御部１３は、撮影画像から人の顔が抽出されているが、ディスプレイを見ている人の数が所定数未満（例：１未満）の場合、人の注意を引く動作をディスプレイに行わせてもよい。例えば、「お得な情報を提供しますよ」等の音声をディスプレイに出力させてもよいし、点滅等で人の気を引いてもよい。
【００８９】
次に、図１２のフローチャートを用いて、本実施形態の情報提供装置１０の処理の流れの一例を説明する。
【００９０】
Ｓ２１では、取得部１１は、ディスプレイの周辺を撮影した撮影画像を取得する。
【００９１】
Ｓ２２では、画像解析部１２は、撮影画像を解析することで、撮影画像から人の顔を抽出するとともに、抽出された人が見ているディスプレイ上の位置を検出する。また、画像解析部１２は、例えば図３に示すような解析結果データに基づき、最新の撮影画像から抽出された人各々が、そのタイミングで見ている子領域をそのタイミングまでに見た時間（子領域閲覧時間）、及び、そのタイミングで複数の子領域各々を見ている人の数を検出する。
【００９２】
Ｓ２３では、制御部１３は、撮影画像から抽出された人が見ている子領域の子領域閲覧時間及び見ている人の数に応じて、その子領域の表示を変更させる。例えば、制御部１３は、子領域閲覧時間及び見ている人の数に応じて、その子領域に表示させるコンテンツを決定する。そして、制御部１３は、決定したコンテンツをその子領域に表示させる。例えば、制御部１３は、子領域閲覧時間が第３の基準時間以上である人の数が第１の基準人数未満の場合には静止画像を表示させ、子領域閲覧時間が第３の基準時間以上である人の数が第１の基準人数以上の場合には動画像を表示させてもよい。
【００９３】
以降、処理を終了する信号が入力されない間（Ｓ２４のＮｏ）、上記処理を繰り返す。
【００９４】
以上説明した本実施形態の情報提供システムによれば、第１の実施形態と同様の作用効果を実現できる。
【００９５】
また、本実施形態の情報提供システムによれば、所定人数以上の視線が集まったことに応じて、その子領域に表示されているコンテンツを切り替えることができる。このような方法によれば、例えば複数人のグループがディスプレイを閲覧している場合、表示されているコンテンツの切り替わりにより、そのグループの中で興味の集まっているコンテンツを容易に認識することができる。
【００９６】
例えば、「○人以上の視線が所定の店舗の広告に集まると、その広告の内容が切り替わります」、「○人以上の視線が所定の店舗の広告に集まり、動画広告を最後までみんなで視聴して頂くと、素敵なプレゼントがもらえます」等の案内を閲覧者に事前に提供しておくと、閲覧者はゲーム感覚で閲覧を楽しむことができる。この場合、広告を見る人の増加が期待できるため、宣伝効果が高まる。
【００９７】
＜第３の実施形態＞
本実施形態の情報提供システムは、情報提供装置１０の構成において、第１及び第２の実施形態と異なる。すなわち、ディスプレイ及びカメラの構成は第１及び第２の実施形態と同様である。以下、詳細に説明する。
【００９８】
情報提供装置１０のハードウエア構成の一例は第１及び第２の実施形態と同様である。
【００９９】
本実施形態の情報提供装置１０の機能ブロック図の一例は、第１及び第２の実施形態同様、図２で示される。図示するように、情報提供装置１０は、取得部１１と、画像解析部１２と、制御部１３とを有する。取得部１１の構成は、第１及び第２の実施形態と同様である。
【０１００】
画像解析部１２は、第１の実施形態で説明した第１の検出処理を行い、例えば図３に示すような解析結果データを得る。なお、画像解析部１２は、第１の実施形態で説明した第２の検出処理を行ってもよい。
【０１０１】
そして、画像解析部１２は、上記解析結果データに基づき、最新の撮影画像においてディスプレイを見ている人の数、及び、そのタイミングまでにディスプレイを見た時間（ディスプレイ閲覧時間）を検出する。また、画像解析部１２は、抽出した人各々が見ているディスプレイ上の位置を検出してもよい。ディスプレイ閲覧時間は、視線をそのディスプレイから外すことなくそのタイミングまで連続的に閲覧した時間であってもよいし、そのディスプレイをそのタイミングまでに閲覧した積算時間であってもよい。
【０１０２】
制御部１３は、画像解析部１２の検出結果に応じて、ディスプレイの制御内容、例えば表示させるコンテンツや動作モード等を決定する。
【０１０３】
制御部１３は、例えば図６に示すような、視線検知からの経過時間（ディスプレイ閲覧時間）と、ディスプレイを見ている人の数と、ディスプレイの制御内容とを対応付けた対応情報を予め保持しておいてもよい。そして、制御部１３は、当該対応情報に基づき、ディスプレイの制御内容を決定してもよい。なお、図６の対応情報で示す数値及び内容は一例であり、その他の内容とすることもできる。
【０１０４】
ここで、図６に示す対応情報を説明する。図６に示す対応情報の場合、制御部１３は、撮影画像から人の顔が抽出されていない場合（視線検知０秒以上〜２秒未満−顔未検知）、すなわちディスプレイの前にディスプレイの方を向く人がいない場合、ディスプレイを省電力モードで動作させる。
【０１０５】
また、制御部１３は、撮影画像から人の顔が抽出されているが、ディスプレイを見ている人の数が０の場合（視線検知０秒以上〜２秒未満−顔検知済み：視線検知０人）、客寄せモードで、人の注意を引く動作をディスプレイに行わせる。客寄せモードでは、例えば、「お得な情報を提供しますよ」等の音声をディスプレイに出力させてもよいし、点滅等で人の気を引いてもよい。
【０１０６】
また、制御部１３は、撮影画像から人の顔が抽出され、ディスプレイを見ている人が存在する場合、ディスプレイを見ている人の数とディスプレイ閲覧時間とに応じた処理をディスプレイに実行させる。
【０１０７】
具体的には、制御部１３は、ディスプレイ閲覧時間が２秒未満の場合（視線検知０秒以上〜２秒未満）、静止画像（ダイジェストや動画像としてもよい）で、これから所定の情報の提供を開始することを示す案内メッセージを表示させる。この案内メッセージは、ディスプレイ全体に表示される。すなわち、この段階では、ディスプレイの表示領域を複数の子領域に分けていない。なお、静止画像は、必ずしもディスプレイ全体が静止しているものに限定されず、画像の一部分（例えば広告それ自体ではない文字、記号など）が動いていてもよい。
【０１０８】
なお、提供する情報は、ディスプレイを見ている人の数に応じたものとする。例えば、見ている人の数が１人の場合は、１人で入りやすい店舗（例：お食事処）の情報を提供し、見ている人の数が２人の場合は、カップル向けの店舗（例：デートスポット）の情報を提供し、見ている人の数が３人以上の場合は、家族向けの店舗（例：レストラン）の情報を提供してもよい。
【０１０９】
また、制御部１３は、ディスプレイ閲覧時間が２秒以上になると（視線検知２秒以上〜５秒未満）、上記案内メッセージを終了させる。そして、ディスプレイの表示領域を複数の子領域（例：４つ）に分け、複数の子領域各々に複数の店舗各々の情報を表示させる。例えば、複数の子領域各々に、複数の店舗各々の属性情報（名称、場所、外観写真、商品等）を静止画像（ダイジェストや動画像としてもよい）で表示する。静止画像は、必ずしも子領域全体が静止しているものに限定されず、画像の一部分（例えば広告それ自体ではない文字、記号など）が動いていてもよい。
【０１１０】
なお、案内する店舗は、ディスプレイを見ている人の数に応じたものとする。例えば、見ている人の数が１人の場合は、１人で入りやすい店舗（例：お食事処）を案内し、見ている人の数が２人の場合は、カップル向けの店舗（例：デートスポット）を案内し、見ている人の数が３人以上の場合は、家族向けの店舗（例：レストラン）を案内してもよい。
【０１１１】
また、制御部１３は、ディスプレイ閲覧時間が５秒以上になると（視線検知５秒以上〜３０秒未満）、複数の子領域の中から注目が集まっている子領域（例：見ている人の数が最も多い子領域、見た時間が最も多い子領域等）を決定する。そして、ディスプレイの表示領域のレイアウトを変更し、注目が集まっている子領域に表示させていた店舗の情報を大画面で表示させる。また、当該店舗の詳細情報を示す動画像を大画面で再生する。
【０１１２】
なお、制御部１３は、上記大画面表示を行わず、ディスプレイにおける複数の子領域のレイアウトを変更せず、注目が集まっている子領域に表示させるコンテンツのみを動画像に変更させてもよい。
【０１１３】
このように、制御部１３は、ディスプレイ閲覧時間が第５の基準時間未満の場合に静止画像を表示させ、ディスプレイ閲覧時間が第５の基準時間以上の場合に動画像を表示させることができる。第５の基準時間は予め任意に設定される。
【０１１４】
また、制御部１３は、ディスプレイ閲覧時間が３０秒以上になると（視線検知３０秒以上）、再生していた動画像に関する店舗のクーポン情報をディスプレイに表示させる。
【０１１５】
このように、制御部１３は、ディスプレイ閲覧時間が第６の基準時間以上になるとディスプレイにクーポン情報を表示させることができる。第６の基準時間は予め任意に設定される。
【０１１６】
なお、制御部１３は、ディスプレイの表示領域を複数の子領域に分け、複数の子領域各々コンテンツを表示させている間、ディスプレイにおける複数の子領域の中の少なくとも１つの占有面積の比率を、その子領域を見ている人の数の比率に応じたものとしてもよい。また、制御部１３は、ディスプレイにおける複数の子領域各々の輝度を、複数の子領域各々を見ている人の数に応じて切り替えてもよい。
【０１１７】
本実施形態の情報提供装置１０の処理の流れの一例は、第２の実施形態と同様である。
【０１１８】
以上説明した本実施形態の情報提供システムによれば、第１及び第２の実施形態と同様の作用効果を実現できる。
【０１１９】
また、本実施形態の情報提供システムによれば、ディスプレイを見ている人の数、及び、ディスプレイ閲覧時間に応じて、ディスプレイの表示を切り替えることができる。ディスプレイを見ている人の数は、ディスプレイを見ている人やグループの属性を表す。ディスプレイを見ている人の数に応じたコンテンツを提供することで、視聴者により適した情報を提供することができる。
【０１２０】
＜変形例＞
第１乃至第３の実施形態に適用可能な変形例を説明する。
【０１２１】
「変形例１」
制御部１３は、撮影画像から抽出された人がディスプレイ上で見ている位置を示す情報を、ディスプレイに表示させてもよい。図７に一例を示す。図７に示す例では、Ｍ１乃至Ｍ３で示されるマークにより、３人の視聴者各々の閲覧位置を明示している。なお、複数のマークは、色や形等により、互いに外観的に識別可能になっていてもよい。
【０１２２】
当該変形例によれば、視聴者は、自分や他の人が視聴しているディスプレイ上の位置を容易に把握できる。結果、ゲーム感覚で視聴できるほか、他の人の動向を容易に把握できる。
【０１２３】
「変形例２」
制御部１３は、視聴方向に応じて異なるコンテンツが見えるようにディスプレイを制御してもよい。例えば、ディスプレイからの光を複数方向に分離することで、各方向から見えるコンテンツを異ならせることができる。当該表示は、視野角制御技術を利用することで実現できる。また、画像解析部１２による画像解析の結果を用いることで、各視聴者が上記複数方向のうちのいずれから見ているかを特定することができる。
【０１２４】
当該技術を利用することで、例えば、同じディスプレイや同じ子領域を複数の視聴者が見ている場合に、視聴者毎に上述した動画像の再生タイミングや、クーポン情報の表示タイミングを異ならせることができる。
【０１２５】
制御部１３は、例えば、視聴している人の数が相対的に多い位置や角度からは動画像が見え、視聴している人の数が相対的に低い位置や角度からは静止画像が見えるように、ディスプレイに表示させるコンテンツを決定してもよい。静止画像は、必ずしも子領域全体が静止しているものに限定されず、画像の一部分（例えば広告それ自体ではない文字、記号など）が動いていてもよい。
【０１２６】
例えば、ディスプレイの右方向から見えるコンテンツ、正面から見えるコンテンツ、左方向から見えるコンテンツを異なるコンテンツとすることができる。具体的には、右側で見ている人の数が基準人数以上であり、また子領域閲覧時間が第３の基準時間以上（どちらか一方でも可）の子領域において、右側で見ている人に対しては動画を表示する。一方、その子領域を正面や左側で見ている人の数が基準人数未満であり、また子領域閲覧時間が第３の基準時間未満（どちらか一方でも可）である場合、その子領域を正面や左側で見ている人に対して静止画を表示する。
【０１２７】
当該変形例によれば、複数の視聴者各々に対して適切なコンテンツを提供することができる。
【０１２８】
「変形例３」
情報提供装置１０は、画像解析部１２による解析結果を集計し、集計データを生成してもよい。図８乃至図１１に、集計データの一例を示す。
【０１２９】
図８の集計データは、現在ディスプレイを視聴している視聴者毎に、ディスプレイ閲覧時間を算出し、グラフ化したものである。
【０１３０】
図９の集計データは、時間帯別に視聴者の数を算出し、グラフ化したものである。
【０１３１】
図１０の集計データは、子領域（パネル）別に子領域閲覧時間の累計を算出し（例：１日分）、グラフ化したものである。
【０１３２】
図１１の集計データは、１視聴者当たりのディスプレイ閲覧時間の平均値を算出し、グラフ化したものである。
【０１３３】
当該変形例によれば、ディスプレイの活用状況を数値化できる。そして、集計データに基づき、ディスプレイの配置位置、コンテンツの内容等を変更したりできる。
【０１３４】
以下、参考形態の例を付記する。
１．  ディスプレイの周辺を撮影した撮影画像を取得する取得手段と、
前記撮影画像から抽出された人が見ている前記ディスプレイ上の位置を検出する画像解析手段と、
前記ディスプレイの表示領域を複数の子領域に分け、前記複数の子領域各々にコンテンツを表示させるとともに、前記撮影画像から抽出された人が見ている前記子領域の表示を変更させる制御手段と、
を有する情報提供装置。
２．  １に記載の情報提供装置において、
前記画像解析手段は、前記撮影画像から抽出された人が所定の前記子領域を見ている時間である子領域閲覧時間を検出し、
前記制御手段は、前記子領域閲覧時間に応じて、前記撮影画像から抽出された人が見ている前記子領域に表示させるコンテンツを決定する情報提供装置。
３．  ２に記載の情報提供装置において、
前記制御手段は、前記子領域閲覧時間が第１の基準時間未満の場合には静止画像を表示させ、前記子領域閲覧時間が前記第１の基準時間以上の場合には動画像を表示させる情報提供装置。
４．  ２又は３に記載の情報提供装置において、
前記制御手段は、前記子領域閲覧時間が第２の基準時間以上になるとクーポン情報を表示させる情報提供装置。
５．  ２に記載の情報提供装置において、
前記画像解析手段は、前記複数の子領域各々を見ている人の数をさらに検出し、
前記制御手段は、前記子領域閲覧時間と、前記複数の子領域各々を見ている人の数とに応じて、前記撮影画像から抽出された人が見ている前記子領域に表示させるコンテンツを決定する情報提供装置。
６．  ５に記載の情報提供装置において、
前記制御手段は、前記子領域閲覧時間が第３の基準時間以上である人の数が第１の基準人数未満の場合には静止画像を表示させ、前記子領域閲覧時間が前記第３の基準時間以上である人の数が前記第１の基準人数以上の場合には動画像を表示させる情報提供装置。
７．  ５又は６に記載の情報提供装置において、
前記制御手段は、前記子領域閲覧時間が第４の基準時間以上である人の数が第２の基準人数以上になるとクーポン情報を表示させる情報提供装置。
８．  ディスプレイの周辺を撮影した撮影画像を取得する取得手段と、
前記撮影画像を解析することで、前記撮影画像から人の顔を抽出するとともに、前記ディスプレイを見ている人の数、及び、前記ディスプレイを見ている時間であるディスプレイ閲覧時間を検出する画像解析手段と、
検出結果に応じて、前記ディスプレイに表示させるコンテンツを決定する制御手段と、
を有する情報提供装置。
９．  ８に記載の情報提供装置において、
前記制御手段は、前記ディスプレイ閲覧時間が第５の基準時間未満の場合に静止画像を表示させ、前記ディスプレイ閲覧時間が前記第５の基準時間以上の場合に動画像を表示させる情報提供装置。
１０．  ８又は９に記載の情報提供装置において、
前記制御手段は、前記ディスプレイ閲覧時間が第６の基準時間以上になると前記ディスプレイにクーポン情報を表示させる情報提供装置。
１１．  ５から１０のいずれかに記載の情報提供装置において、
前記制御手段は、前記撮影画像から人の顔が抽出されているが、前記ディスプレイを見ている人の数が所定数未満の場合、人の注意を引く動作を前記ディスプレイに行わせる情報提供装置。
１２．  ５から１１のいずれかに記載の情報提供装置において、
前記制御手段は、前記ディスプレイにおける前記複数の子領域の中の少なくとも１つの占有面積の比率を、当該子領域を見ている人の数の比率に応じたものとする情報提供装置。
１３．  ５から１２のいずれかに記載の情報提供装置において、
前記制御手段は、前記ディスプレイにおける前記複数の子領域各々の輝度を、前記複数の子領域各々を見ている人の数に応じて切り替える情報提供装置。
１４．  １から１３のいずれかに記載の情報提供装置において、
前記制御手段は、前記ディスプレイにおける前記複数の子領域のレイアウトを変更せず、前記複数の子領域各々に表示させるコンテンツを個別に変更させる情報提供装置。
１５．  １から１４のいずれかに記載の情報提供装置において、
前記制御手段は、前記撮影画像から人の顔が抽出されていない場合、前記ディスプレイを省電力モードで動作させる情報提供装置。
１６．  １から１５のいずれかに記載の情報提供装置において、
前記画像解析手段は、抽出された人が見ている前記ディスプレイ上の位置を検出し、
前記制御手段は、前記撮影画像から抽出された人が前記ディスプレイ上で見ている位置を示す情報を、前記ディスプレイに表示させる情報提供装置。
１７．  １から１６のいずれかに記載の情報提供装置において、
前記制御手段は、視聴方向に応じて異なるコンテンツが見えるように前記ディスプレイを制御する情報提供装置。
１８．  １から１７のいずれかに記載の情報提供装置において、
前記制御手段は、視聴している人の数が相対的に多い方向からは動画像が見え、視聴している人の数が相対的に少ない方向からは静止画像が見えるように、前記ディスプレイに表示させるコンテンツを決定する情報提供装置。
１９．  コンピュータが、
ディスプレイの周辺を撮影した撮影画像を取得する取得工程と、
前記撮影画像から抽出された人が見ている前記ディスプレイ上の位置を検出する画像解析工程と、
前記ディスプレイの表示領域を複数の子領域に分け、前記複数の子領域各々にコンテンツを表示させるとともに、前記撮影画像から抽出された人が見ている前記子領域の表示を変更させる制御工程と、
を有する情報提供方法。
２０．  コンピュータを、
ディスプレイの周辺を撮影した撮影画像を取得する取得手段、
前記撮影画像から抽出された人が見ている前記ディスプレイ上の位置を検出する画像解析手段、
前記ディスプレイの表示領域を複数の子領域に分け、前記複数の子領域各々にコンテンツを表示させるとともに、前記撮影画像から抽出された人が見ている前記子領域の表示を変更させる制御手段、
として機能させるプログラム。
２１．  コンピュータが、
ディスプレイの周辺を撮影した撮影画像を取得する取得工程と、
前記撮影画像を解析することで、前記撮影画像から人の顔を抽出するとともに、前記ディスプレイを見ている人の数、及び、前記ディスプレイを見ている時間であるディスプレイ閲覧時間を検出する画像解析工程と、
検出結果に応じて、前記ディスプレイに表示させるコンテンツを決定する制御工程と、
を実行する情報提供方法。
２２．  コンピュータを、
ディスプレイの周辺を撮影した撮影画像を取得する取得手段、
前記撮影画像を解析することで、前記撮影画像から人の顔を抽出するとともに、前記ディスプレイを見ている人の数、及び、前記ディスプレイを見ている時間であるディスプレイ閲覧時間を検出する画像解析手段、
検出結果に応じて、前記ディスプレイに表示させるコンテンツを決定する制御手段、
として機能させるプログラム。
【０１３５】
この出願は、２０１７年６月２０日に出願された日本出願特願２０１７−１２０７３５号を基礎とする優先権を主張し、その開示の全てをここに取り込む。
【図１】
2018235595.tif 000003
【図２】
2018235595.tif 000004
【図３】
2018235595.tif 000005
【図４】
2018235595.tif 000006
【図５】
2018235595.tif 000007
【図６】
2018235595.tif 000008
【図７】
2018235595.tif 000009
【図８】
2018235595.tif 000010
【図９】
2018235595.tif 000011
【図１０】
2018235595.tif 000012
【図１１】
2018235595.tif 000013
【図１２】
2018235595.tif 000014
【国際調査報告】
2018235595.tif 000015
2018235595.tif 000016
2018235595.tif 000017
2018235595.tif 000018